(57)【特許請求の範囲】
【請求項１】
複数のサブフレームにおいて疑似ランダム系列によってスクランブルされた下りリンクチャネルを繰り返し送信する送信部と、
少なくともＲＮＴＩ（Ｒａｄｉｏ  Ｎｅｔｗｏｒｋ  Ｔｅｍｐｏｒａｒｙ  Ｉｄｅｎｔｉｆｉｅｒ）と現在の繰り返し回数に基づいて前記疑似ランダム系列を生成する生成部と、を備え、
前記ＲＮＴＩは、前記下りリンクチャネルで送信されるＣＲＣ（Ｃｙｃｌｉｃ  Ｒｅｄｕｎｄａｃｙ  Ｃｈｅｃｋ）パリティビットをスクランブルしたＲＮＴＩである
基地局装置。
【請求項２】
前記生成部は、
さらにサブフレーム番号に基づいて前記疑似ランダム系列を生成する
請求項１に記載の基地局装置。
【請求項３】
複数のサブフレームにおいて疑似ランダム系列によってスクランブルされ繰り返し送信された下りリンクチャネルを受信する受信部と、
前記下りリンクチャネルの復号を試み、
前記下りリンクチャネルで送信された制御情報と前記制御情報に対応するＲＮＴＩ（Ｒａｄｉｏ  Ｎｅｔｗｏｒｋ  Ｔｅｍｐｏｒａｒｙ  Ｉｄｅｎｔｉｆｉｅｒ）を取得する復号化部と、を備え、
前記疑似ランダム系列は、少なくとも前記ＲＮＴＩと現在の繰り返し回数に基づいて生成され、
前記ＲＮＴＩは、前記下りリンクチャネルで送信されるＣＲＣ（Ｃｙｃｌｉｃ  Ｒｅｄｕｎｄａｃｙ  Ｃｈｅｃｋ）パリティビットをスクランブルしたＲＮＴＩであり、
前記制御情報に基づいて前記受信部の制御を行う制御部を備える
端末装置。
【請求項４】
前記制御部は、前記受信部が受信した上位層の信号に含まれるパラメータに基づいて前記繰り返し送信の繰り返しの総数をセットし、
前記疑似ランダム系列は、さらに前記繰り返しの総数に基づいて生成された
請求項３に記載の端末装置。
【請求項５】
基地局装置における無線通信方法であって、
前記基地局装置が、複数のサブフレームにおいて疑似ランダム系列によってスクランブルされた下りリンクチャネルを繰り返し送信する送信過程と、
少なくともＲＮＴＩ（Ｒａｄｉｏ  Ｎｅｔｗｏｒｋ  Ｔｅｍｐｏｒａｒｙ  Ｉｄｅｎｔｉｆｉｅｒ）と現在の繰り返し回数に基づいて前記疑似ランダム系列を生成する生成過程と、を有し
前記ＲＮＴＩは、前記下りリンクチャネルで送信されるＣＲＣ（Ｃｙｃｌｉｃ  Ｒｅｄｕｎｄａｃｙ  Ｃｈｅｃｋ）パリティビットをスクランブルしたＲＮＴＩである
無線通信方法。
【請求項６】
端末装置における無線通信方法であって、
前記端末装置が、複数のサブフレームにおいて疑似ランダム系列によってスクランブルされ繰り返し送信された下りリンクチャネルを受信する受信過程と、
前記下りリンクチャネルの復号を試み、
前記下りリンクチャネルで送信された制御情報と前記制御情報に対応するＲＮＴＩ（Ｒａｄｉｏ  Ｎｅｔｗｏｒｋ  Ｔｅｍｐｏｒａｒｙ  Ｉｄｅｎｔｉｆｉｅｒ）を取得する復号化過程と、
前記制御情報に基づいて前記受信の制御を行う制御過程を有し、
前記疑似ランダム系列は、少なくとも前記ＲＮＴＩと現在の繰り返し回数に基づいて生成され、
前記ＲＮＴＩは、前記下りリンクチャネルで送信されるＣＲＣ（Ｃｙｃｌｉｃ  Ｒｅｄｕｎｄａｃｙ  Ｃｈｅｃｋ）パリティビットをスクランブルしたＲＮＴＩである
無線通信方法。
【発明の詳細な説明】
【技術分野】
【０００１】
本発明は、基地局装置、端末装置、および、無線通信方法に関する。
本願は、２０１４年２月２６日に、日本に出願された特願２０１４−０３４９０９号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、下りリンクの通信方式として、直交周波数分割多重（Orthogonal Frequency Division Multiplexing: OFDM）方式が用いられる。ＬＴＥでは、上りリンクの通信方式として、ＳＣ−ＦＤＭＡ（Single-Carrier Frequency Division Multiple Access）方式が用いられる。ＬＴＥでは、基地局装置をｅＮｏｄｅＢ（evolved NodeB）、移動局装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥにおいて、ＰＤＣＣＨ（Physical Downlink Control Channel）またはＥＰＤＣＣＨ（Enhanced Physical Downlink Control Channel）を用いて下りリンク制御情報（Downlink Control Information: DCI）が送信される。ＤＣＩは、あるセルにおけるＰＤＳＣＨ（Physical Downlink Shared Channel）のスケジューリングのために用いられる。【０００４】
ＬＴＥにおいて、下りリンクにおけるＭＢＳＦＮ（Multicast Broadcast Single Frequency Network）のためにリザーブされるＭＢＳＦＮサブフレームが定義されている。【０００５】
３ＧＰＰにおいて、セルのカバレッジを改良するために、複数のサブフレームにおいてＰＤＣＣＨおよびＥＰＤＣＣＨを繰り返し送信する技術が検討されている（非特許文献１）。
【先行技術文献】
【非特許文献】
【０００６】
【非特許文献１】"On PDCCH/EPDCCH mapping for enhanced coverage MTC UE", R1-140774, Ericsson, 3GPP TSG-RAN WG1 Meeting #76, Prague, Czech Republic, 10th - 14th February 2014.
【発明の概要】
【発明が解決しようとする課題】
【０００７】
本発明は上記の点に鑑みてなされたものであり、その目的は、ＰＤＣＣＨまたはＥＰＤＣＣＨの繰り返しが適用できる無線通信システムにおいて、効率的に通信を行なうことができる基地局装置、端末装置、および、無線通信方法を提供することである。
【課題を解決するための手段】
【０００８】
（１）上記の目的を達成するために、本発明は、以下のような手段を講じた。すなわち、本発明の基地局装置は、複数のサブフレームにおいて疑似ランダム系列によってスクランブルされた下りリンクチャネルを繰り返し送信する送信部と、少なくともＲＮＴＩ（Ｒａｄｉｏ  Ｎｅｔｗｏｒｋ  Ｔｅｍｐｏｒａｒｙ  Ｉｄｅｎｔｉｆｉｅｒ）と現在の繰り返し回数に基づいて前記疑似ランダム系列を生成する生成部と、を備え、前記ＲＮＴＩは、前記下りリンクチャネルで送信されるＣＲＣ（Ｃｙｃｌｉｃ  Ｒｅｄｕｎｄａｃｙ  Ｃｈｅｃｋ）パリティビットをスクランブルしたＲＮＴＩである。
【０００９】
（２）また、前記生成部は、さらにサブフレーム番号に基づいて前記疑似ランダム系列を生成する。
【００１０】
（３）また、本発明の端末装置は、複数のサブフレームにおいて疑似ランダム系列によってスクランブルされ繰り返し送信された下りリンクチャネルを受信する受信部と、前記下りリンクチャネルの復号を試み、前記下りリンクチャネルで送信された制御情報と前記制御情報に対応するＲＮＴＩ（Ｒａｄｉｏ  Ｎｅｔｗｏｒｋ  Ｔｅｍｐｏｒａｒｙ  Ｉｄｅｎｔｉｆｉｅｒ）を取得する復号化部と、を備え、前記疑似ランダム系列は、少なくとも前記ＲＮＴＩと現在の繰り返し回数に基づいて生成され、前記ＲＮＴＩは、前記下りリンクチャネルで送信されるＣＲＣ（Ｃｙｃｌｉｃ  Ｒｅｄｕｎｄａｃｙ  Ｃｈｅｃｋ）パリティビットをスクランブルしたＲＮＴＩであり、前記制御情報に基づいて前記受信部の制御を行う制御部を備える。
【００１１】
（４）また、前記制御部は、前記受信部が受信した上位層の信号に含まれるパラメータに基づいて前記繰り返し送信の繰り返しの総数をセットし、前記疑似ランダム系列は、さらに前記繰り返しの総数に基づいて生成された。
【００１２】
（５）また、本発明の無線通信方法は、基地局装置における無線通信方法であって、前記基地局装置が、複数のサブフレームにおいて疑似ランダム系列によってスクランブルされた下りリンクチャネルを繰り返し送信する送信過程と、少なくともＲＮＴＩ（Ｒａｄｉｏ  Ｎｅｔｗｏｒｋ  Ｔｅｍｐｏｒａｒｙ  Ｉｄｅｎｔｉｆｉｅｒ）と現在の繰り返し回数に基づいて前記疑似ランダム系列を生成する生成過程と、を有し前記ＲＮＴＩは、前記下りリンクチャネルで送信されるＣＲＣ（Ｃｙｃｌｉｃ  Ｒｅｄｕｎｄａｃｙ  Ｃｈｅｃｋ）パリティビットをスクランブルしたＲＮＴＩである。
【００１３】
（６）また、本発明の無線通信方法は、端末装置における無線通信方法であって、前記端末装置が、複数のサブフレームにおいて疑似ランダム系列によってスクランブルされ繰り返し送信された下りリンクチャネルを受信する受信過程と、前記下りリンクチャネルの復号を試み、前記下りリンクチャネルで送信された制御情報と前記制御情報に対応するＲＮＴＩ（Ｒａｄｉｏ  Ｎｅｔｗｏｒｋ  Ｔｅｍｐｏｒａｒｙ  Ｉｄｅｎｔｉｆｉｅｒ）を取得する復号化過程と、前記制御情報に基づいて前記受信の制御を行う制御過程を有し、前記疑似ランダム系列は、少なくとも前記ＲＮＴＩと現在の繰り返し回数に基づいて生成され、前記ＲＮＴＩは、前記下りリンクチャネルで送信されるＣＲＣ（Ｃｙｃｌｉｃ  Ｒｅｄｕｎｄａｃｙ  Ｃｈｅｃｋ）パリティビットをスクランブルしたＲＮＴＩである。
【発明の効果】
【００１４】
この発明によれば、ＰＤＣＣＨまたはＥＰＤＣＣＨの繰り返しが適用できる無線通信において、効率的に通信を行なうことができる。
【図面の簡単な説明】
【００１５】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクのサブフレームにおける物理チャネルおよび物理信号の配置の一例を示す図である。
【図５】本実施形態におけるＰＤＣＣＨの繰り返しの回数がセットされていない場合のチャネルの配置を示す図である。
【図６】本実施形態のＰＤＣＣＨの繰り返しの回数がセットされている場合のチャネルの配置を示す図である。
【図７】本実施形態の移動局装置１の構成を示す概略ブロック図である。
【図８】本実施形態の基地局装置３の構成を示す概略ブロック図である。
【発明を実施するための形態】
【００１６】
以下、本発明の実施形態について説明する。
【００１７】
本実施形態では、移動局装置に対して単一のセルが設定される。移動局装置に対して設定されるセルを、サービングセルとも称する。設定された単一のサービングセルは、プライマリーセルとも称する。プライマリーセルは、初期コネクション構築（initial connection establishment）プロシージャが行なわれたサービングセル、コネクション再構築（connection re-establishment）プロシージャを開始したサービングセル、または、ハンドオーバプロシージャにおいてプライマリーセルと指示されたセルである。
【００１８】
本実施形態の無線通信システムは、ＴＤＤ（Time Division Duplex）方式またはＦＤＤ（Frequency Division Duplex）方式が適用されてもよい。以下、ＦＤＤ方式が適用されることを前提として本実施形態を記載する。
【００１９】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００２０】
本実施形態の物理チャネルおよび物理信号について説明する。
【００２１】
図１において、移動局装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２２】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００２３】
図１において、基地局装置３から移動局装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＳＣＨ（Physical Downlink Shared Channel）
・ＰＭＣＨ（Physical Multicast Channel）
・ＰＤＣＣＨ（Physical Downlink Control Channel）
・ＥＰＤＣＣＨ（Enhanced Physical Downlink Control Channel）
【００２４】
ＰＢＣＨは、移動局装置１で共通に用いられるマスターインフォメーションブロック（Master Information Block: MIB, Broadcast Channel: BCH）を報知するために用いられる。ＭＩＢは、４０ms間隔で送信され、ＭＩＢは１０ｍｓ周期で繰り返し送信される。
【００２５】
ＰＣＦＩＣＨは、ＰＤＣＣＨの送信に用いられる領域（ＯＦＤＭシンボル）を指示する情報を送信するために用いられる。
【００２６】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００２７】
ＰＤＳＣＨは、下りリンクデータ（Downlink Shared Channel: DL-SCH）を送信するために用いられる。
【００２８】
ＰＭＣＨは、マルチキャストデータ（Multicast Channel: MCH）を送信するために用いられる。
【００２９】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）を含む。下りリンクグラントは、下りリンクアサインメント（downlink assignment）または下りリンク割り当て（downlink allocation）とも称する。
【００３０】
下りリンクグラントは、単一のセル内の単一のＰＤＳＣＨコードワードのスケジューリングに用いられる。下りリンクグラントは、該下りリンクグラントが送信されたサブフレームと同じサブフレーム内のＰＤＳＣＨコードワードのスケジューリングに用いられてもよい。下りリンクグラントは、複数のサブフレームにおいて繰り返し送信されてもよい。ＰＤＳＣＨコードワードは、複数のサブフレームにおいて繰り返し送信されてもよい。複数のサブフレームにおいて繰り返し送信される下りリンクグラントは、該下りリンクグラントが送信されたサブフレームと異なるサブフレーム内の単一のＰＤＳＣＨコードワードのスケジューリングに用いられてもよい。
【００３１】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）でスクランブルされる。Ｃ−ＲＮＴＩは、セル内において移動局装置を識別するための識別子である。
【００３２】
端末装置１は、ＰＤＣＣＨおよびＥＰＤＣＣＨが繰り返し送信されるかどうかを決定する。ＰＤＣＣＨおよびＥＰＤＣＣＨが繰り返し送信されるとは、複数のＰＤＣＣＨまたはＥＰＤＣＣＨのそれぞれを介して同じ下りリンク制御情報（同じ下りリンクアサインメントとも称する）が繰り返し送信されることを意味する。端末装置１は、該複数のＰＤＣＣＨおよびＥＰＤＣＣＨを用いて、単一の下りリンク制御情報のデコードを行う。例えば、端末装置１は該複数のＰＤＣＣＨおよびＥＰＤＣＣＨを合成し、合成したＰＤＣＣＨおよびＥＰＤＣＣＨを用いて単一の下りリンク制御情報のデコードを行ってもよい。
【００３３】
端末装置１は、下りリンク受信電力などに基づいて、ＰＤＣＣＨおよびＥＰＤＣＣＨが繰り返し送信されるかどうかを決定してもよい。端末装置１は、基地局装置３から受信した情報に含まれるパラメータに基づいて、ＰＤＣＣＨおよびＥＰＤＣＣＨが繰り返し送信されるかどうかを決定してもよい。
【００３４】
端末装置１は、ＰＤＣＣＨおよびＥＰＤＣＣＨの繰り返しの回数をセットする。端末装置１は、下りリンク受信電力などに基づいて、ＰＤＣＣＨおよびＥＰＤＣＣＨの繰り返しの回数をセットしてもよい。端末装置１は、基地局装置３から受信した上位層の信号に含まれるパラメータに基づいて、ＰＤＣＣＨおよびＥＰＤＣＣＨの繰り返しの回数をセットしてもよい。該ＰＤＣＣＨおよびＥＰＤＣＣＨの繰り返しの回数は２回、または、それより多い回数である。
【００３５】
端末装置１は、ＰＤＣＣＨおよびＥＰＤＣＣＨが繰り返し送信されないと決定した場合、ＰＤＣＣＨおよびＥＰＤＣＣＨの繰り返しの回数をセットしなくてもよい。
【００３６】
ＰＤＣＣＨおよびＥＰＤＣＣＨの繰り返しの回数がセットされていることを、ＰＤＣＣＨおよびＥＰＤＣＣＨの繰り返しが有効（enable、valid）であるとも称してもよい。ＰＤＣＣＨおよびＥＰＤＣＣＨの繰り返しの回数がセットされている端末装置１は、ＰＤＣＣＨおよびＥＰＤＣＣＨの繰り返しに関連するパラメータがセットされている端末装置１であってもよい。
【００３７】
ＰＤＣＣＨおよびＥＰＤＣＣＨの繰り返しの回数がセットされていないことを、ＰＤＣＣＨおよびＥＰＤＣＣＨの繰り返しが無効（disable、invalid）であるとも称してもよい。ＰＤＣＣＨおよびＥＰＤＣＣＨの繰り返しの回数がセットされていない端末装置１は、ＰＤＣＣＨおよびＥＰＤＣＣＨの繰り返しに関連するパラメータがセットされていない端末装置１であってもよい。
【００３８】
送信モードは、基地局装置３によってサービングセル毎に制御される。端末装置１は、基地局装置３から受信した上位層の信号に基づいて、サービングセルに対する送信モードをセットする。すなわち、基地局装置３は、上位層の信号を介して送信モードを端末装置１にセットする。送信モードは、送信モード１から送信モード１０を含む。
【００３９】
端末装置１は、送信モードに基づいて、モニタするＤＣＩフォーマットを決定してもよい。例えば、送信モード１を設定された端末装置１は、ＤＣＩフォーマット１ＡとＤＣＩフォーマット１をモニタする。
【００４０】
ＰＤＣＣＨおよびＥＰＤＣＣＨの繰り返しの回数がセットされている端末装置１は、送信モードに基づいて、モニタするＤＣＩフォーマットを決定してもよい。
【００４１】
ＰＤＣＣＨおよびＥＰＤＣＣＨの繰り返しの回数がセットされている端末装置１は、送信モードにかかわらず、モニタするＤＣＩフォーマットを決定してもよい。例えば、ＰＤＣＣＨおよびＥＰＤＣＣＨの繰り返しの回数がセットされている端末装置１は、ＤＣＩフォーマット１Ｅをモニタする。
【００４２】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００４３】
同期信号は、移動局装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００４４】
下りリンク参照信号は、移動局装置１が下りリンク物理チャネルの伝搬路補正を行なうために用いられる。下りリンク参照信号は、移動局装置１が下りリンクのチャネル状態情報を算出するために用いられる。
【００４５】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００４６】
ＢＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００４７】
以下、本実施形態の無線フレーム（radio frame）の構成について説明する。
【００４８】
図２は、本実施形態の無線フレームの概略構成を示す図である。無線フレームのそれぞれは、１０ｍｓ長である。図２において、横軸は時間軸である。無線フレームのそれぞれは、１０のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。
【００４９】
以下、本実施形態のスロットの構成について説明する。
【００５０】
図３は、本実施形態のスロットの構成を示す図である。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。１つのスロットを構成するサブキャリアの数は、セルの帯域幅に依存する。１つのスロットを構成するＯＦＤＭシンボルの数は７である。リソースグリッド内のエレメントのそれぞれをリソースエレメントと称する。リソースエレメントは、サブキャリアの番号とＯＦＤＭシンボルの番号とを用いて識別する。
【００５１】
リソースブロックは、ある物理チャネル（ＰＤＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００５２】
以下、サブフレームのそれぞれにおいて送信される物理チャネルおよび物理信号について説明する。
【００５３】
図４は、本実施形態の下りリンクにおける物理チャネルおよび物理信号の配置の一例を示す図である。図４において、横軸は時間軸であり、縦軸は周波数軸である。基地局装置３は、下りリンクにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ、ＰＢＣＨ）、および下りリンク物理信号（同期信号、下りリンク参照信号）を送信してもよい。尚、下りリンク参照信号は周波数領域および時間領域において分散するリソースエレメントに配置される。説明の簡略化のため図４において下りリンク参照信号は図示しない。
【００５４】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００５５】
下りリンクにおいて、サブフレームはＭＢＳＦＮ（Multicast Broadcast Single Frequency Network）サブフレームおよびｎｏｎ−ＭＢＳＦＮサブフレームを含む。ＰＭＣＨは、ＭＢＳＦＮサブフレームのみで送信されてもよい。ＰＢＣＨ、ＰＣＦＩＣＨ、ＰＨＩＣＨ、ＰＤＣＣＨ、ＥＰＤＣＣＨ、ＰＤＳＣＨは、ＭＢＳＦＮサブフレームおよびｎｏｎ−ＭＢＳFＮサブフレームにおいて送信されてもよい。あるサービングセルにおける１つのＭＢＳＦＮサブフレームにおいて、ＰＭＣＨとＰＤＳＣＨとは同時に送信されない。
【００５６】
基地局装置３は、サービングセルにおけるＭＢＳＦＮサブフレームおよびｎｏｎ−ＭＢＳＦＮサブフレームを示す情報を含む上位層の信号を、端末装置１に送信する。端末装置１は、サービングセルにおけるＭＢＳＦＮサブフレームおよびｎｏｎ−ＭＢＳＦＮサブフレームを示すパラメータmbsfn-SubframeConfigListを、基地局装置３から受信した上位層の信号に基づいてセットする。すなわち、基地局装置３は、サービングセルにおけるＭＢＳＦＮサブフレームおよびｎｏｎ−ＭＢＳＦＮサブフレームを示すパラメータmbsfn-SubframeConfigListを、上位層の信号を介して端末装置１にセットする。
【００５７】
ここで、端末装置１は、パラメータmbsfn-SubframeConfigListによってＭＢＳＦＮサブフレームとして指示されなかったサブフレームを、ｎｏｎ−ＭＢＳＦＮサブフレームとみなしてもよい。
【００５８】
端末装置１は、ＰＤＣＣＨおよびＥＰＤＣＣＨの繰り返しの回数がセットされているか否かに基づいて、パラメータmbsfn-SubframeConfigListによって指示されたＭＢＳＦＮサブフレームにおいて下りリンクアサインメントが生じる可能性があるかを判断してもよい。
【００５９】
端末装置１は、ＰＤＣＣＨおよびＥＰＤＣＣＨの繰り返しの回数がセットされていない場合には、パラメータmbsfn-SubframeConfigListによって指示されたＭＢＳＦＮサブフレームを除いて、あるサブフレームにおけるＰＤＣＣＨまたはＥＰＤＣＣＨの検出に基づいて、該あるサブフレームと同じサブフレームにおけるＰＤＳＣＨをデコードしてもよい。すなわち、端末装置１は、ＰＤＣＣＨおよびＥＰＤＣＣＨの繰り返しの回数がセットされていない場合には、パラメータmbsfn-SubframeConfigListによって指示されたＭＢＳＦＮサブフレームを除いたサブフレームにおいて、下りリンクアサインメントが生じる可能性があると判断してもよい。端末装置１は、ＰＤＣＣＨおよびＥＰＤＣＣＨの繰り返しの回数がセットされていない場合には、パラメータmbsfn-SubframeConfigListによって指示されたＭＢＳＦＮサブフレームにおいて、下りリンクアサインメントが生じる可能性がないと判断してもよい。
【００６０】
図５は、ＰＤＣＣＨの繰り返しの回数がセットされていない場合のチャネルの配置を示す図である。図５において、サブフレーム１、２、３、６はＭＢＳＦＮサブフレームである。図５において、ＰＤＣＣＨ−ｉは下りリンクアサインメントを伴うＰＤＣＣＨである。図５において、ＰＤＣＣＨ−ｉはＰＤＳＣＨ−ｉに対応する（ｉ＝０、４、５、７）。
【００６１】
図５において、端末装置１は、ｎｏｎ−ＭＢＳＦＮサブフレームであるサブフレーム０、４、５、７の何れかにおける下りリンクアサインメントを伴うＰＤＣＣＨの検出に基づいて、同じサブフレームにおいて該下りリンクアサインメントによってスケジューリングされるＰＤＳＣＨをデコードする。例えば、ｎｏｎ−ＭＢＳＦＮサブフレームであるサブフレーム０において下りリンクアサインメントを伴うＰＤＣＣＨを検出した場合、該下りリンクアサインメントに基づいて、サブフレーム０におけるＰＤＳＣＨをデコードする。
【００６２】
端末装置１は、ＰＤＣＣＨおよびＥＰＤＣＣＨの繰り返しの回数がセットされている場合には、パラメータmbsfn-SubframeConfigListによって指示されたＭＢＳＦＮサブフレームを含む複数のサブフレームにおいて繰り返されるＰＤＣＣＨまたはＥＰＤＣＣＨの検出に基づいて、該複数のサブフレームとは異なる１つまたは複数のサブフレームにおいてＰＤＳＣＨをデコードしてもよい。すなわち、端末装置１は、ＰＤＣＣＨおよびＥＰＤＣＣＨの繰り返しの回数がセットされている場合には、パラメータmbsfn-SubframeConfigListによって指示されたＭＢＳＦＮサブフレームを含む複数のサブフレームにおいて、下りリンクアサインメントが生じる可能性があると判断してもよい。端末装置１は、ＰＤＣＣＨおよびＥＰＤＣＣＨの繰り返しの回数がセットされている場合には、パラメータmbsfn-SubframeConfigListによって指示されたＭＢＳＦＮサブフレームにおいて、下りリンクアサインメントが生じる可能性があると判断してもよい。
【００６３】
図６は、ＰＤＣＣＨの繰り返しの回数がセットされている場合のチャネルの配置を示す図である。図６において、サブフレーム１、２、３、６はＭＢＳＦＮサブフレームである。図６において、ＰＤＣＣＨ−Ｒは同じ下りリンクアサインメントを伴うＰＤＣＣＨである。図６において、繰り返し送信されるＰＤＣＣＨ−ＲはＰＤＳＣＨ−Ｒに対応する。
【００６４】
図６において、端末装置１は、ＭＢＳＦＮサブフレームおよびｎｏｎ−ＭＢＳＦＮサブフレームを含むサブフレーム０、１、２、３において繰り返し送信される下りリンクアサインメントを伴うＰＤＣＣＨの検出に基づいて、サブフレーム０、１、２、３とは異なるサブフレーム４、５、７において該下りリンクアサインメントによってスケジューリングされるＰＤＳＣＨをデコードする。ここで、ＭＢＳＦＮサブフレームおよびｎｏｎ−ＭＢＳＦＮサブフレームを含むサブフレーム０、１、２、３において繰り返し送信される下りリンクアサインメントを伴うＰＤＣＣＨに対応するＰＤＳＣＨは、ＰＭＣＨが送信されるサブフレーム６において送信されない。すなわち、ＭＢＳＦＮサブフレームおよびｎｏｎ−ＭＢＳＦＮサブフレームを含むサブフレーム０、１、２、３において繰り返し送信される下りリンクアサインメントを伴うＰＤＣＣＨに対応するＰＤＳＣＨは、ＭＢＳＦＮサブフレームであるサブフレーム６において送信されない。
【００６５】
ＰＤＣＣＨおよびＥＰＤＣＣＨは、疑似ランダム系列によってスクランブルされてもよい。該疑似ランダム系列は、ＲＮＴＩ（例えばＣ−ＲＮＴＩ）、サブフレーム番号、現在の繰り返し回数、および／または、繰り返しの総数に基づいて生成されてもよい。
【００６６】
図７は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、設定部１０１３、および、スケジューリング情報解釈部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００６７】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００６８】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００６９】
上位層処理部１０１が備える設定部１０１３は、パラメータmbsfn-SubframeConfigListをセットする。また、設定部１０１３は、ＰＤＳＣＨの送信に関連する送信モードをセットする。
【００７０】
上位層処理部１０１が備えるスケジューリング情報解釈部１０１５は、受信部１０５を介して受信したＤＣＩフォーマット（スケジューリング情報）の解釈をし、ＤＣＩフォーマットを解釈した結果に基づき、受信部１０５、および送信部１０７の制御を行なうために制御情報を生成し、制御部１０３に出力する。
【００７１】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００７２】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００７３】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【００７４】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【００７５】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。また、復号化部１０５１は、物理層に関する下りリンク制御情報を、制御部１０３に出力してもよい。
【００７６】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００７７】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【００７８】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００７９】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【００８０】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。
【００８１】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００８２】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００８３】
図８は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、設定部３０１３、および、スケジューリング部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００８４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００８５】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、移動局装置１各々の各種設定情報の管理をする。
【００８６】
上位層処理部３０１が備える設定部３０１３は、移動局装置１のそれぞれに対して、上位層の信号を介してパラメータmbsfn-SubframeConfigListをセットする。設定部３０１３は、移動局装置１のそれぞれに対して、上位層の信号を介してＰＤＳＣＨの送信に関連する送信モードをセットする。
【００８７】
上位層処理部３０１が備えるスケジューリング部３０１５は、チャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１５は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１５は、スケジューリング結果に基づき、受信部３０５、および送信部３０７の制御を行なうために制御情報（例えば、ＤＣＩフォーマット）を生成し、制御部３０３に出力する。
【００８８】
スケジューリング部３０１５は、スケジューリング結果に基づき、物理チャネル（ＰＤＳＣＨおよびＰＵＳＣＨ）のスケジューリングに用いられる情報を生成する。スケジューリング部３０１５は、さらに、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定に基づいて、送信処理および受信処理を行うタイミングを決定する。
【００８９】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００９０】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００９１】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【００９２】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【００９３】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【００９４】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【００９５】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して移動局装置１に信号を送信する。
【００９６】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【００９７】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【００９８】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【００９９】
上記の設定部１０１３は、複数のサブフレームにおけるＰＤＣＣＨの繰り返しの回数をセットする。上記の受信部１０５は、ＭＢＳＦＮサブフレームを指示するパラメータmbsfn-SubframeConfigListを含む情報と、下りリンクアサインメントをともなうＰＤＣＣＨを受信する。
【０１００】
上記の受信部１０５は、前記ＰＤＣＣＨの繰り返しの回数がセットされているか否かに基づいて、前記パラメータによって指示されたＭＢＳＦＮサブフレームにおいて、前記下りリンクアサインメントが生じる可能性があるかを判断してもよい。
【０１０１】
上記の受信部１０５は、前記ＰＤＣＣＨの繰り返しの回数がセットされていない場合には、前記パラメータmbsfn-SubframeConfigListによって指示されたＭＢＳＦＮサブフレームを除いて、あるサブフレームにおける前記ＰＤＣＣＨの検出に基づいて、前記あるサブフレームと同じサブフレームにおけるＰＤＳＣＨをデコードしてもよい。
【０１０２】
上記の受信部１０５は、前記ＰＤＣＣＨの繰り返しの回数がセットされている場合には、前記パラメータmbsfn-SubframeConfigListによって指示されたＭＢＳＦＮサブフレームを含む前記複数のサブフレームにおいて繰り返されるＰＤＣＣＨの検出に基づいて、前記複数のサブフレームとは異なる１つまたは複数のサブフレームにおいてＰＤＳＣＨをデコードしてもよい。
【０１０３】
上記の受信部１０５は、前記ＰＤＣＣＨの繰り返しの回数がセットされていない場合には、前記パラメータmbsfn-SubframeConfigListによって指示されたＭＢＳＦＮサブフレームにおいて前記ＰＤＣＣＨのデコードを行わない、または、前記パラメータによって指示されたＭＢＳＦＮサブフレームにおける前記ＰＤＣＣＨの検出に基づいてＰＤＳＣＨをデコードしなくてもよい。
【０１０４】
上記の受信部１０５は、前記ＰＤＣＣＨの繰り返しの回数がセットされていない、且つ、送信モード１から８のいずれかがセットされている場合には、前記パラメータmbsfn-SubframeConfigListによって指示されたＭＢＳＦＮサブフレームにおいて前記ＰＤＣＣＨのデコードを行わなくてもよい、また、前記パラメータによって指示されたＭＢＳＦＮサブフレームにおける前記ＰＤＣＣＨの検出に基づいてＰＤＳＣＨをデコードしなくてもよい。
【０１０５】
上記の受信部１０５は、前記ＰＤＣＣＨの繰り返しの回数がセットされていない、且つ、送信モード９または１０がセットされている、且つ、無線フレーム内の最初のサブフレームにおけるサイクリックプリフィックスの長さがノーマルサイクリックプリフィックスである場合には、ＰＭＣＨのデコードを指示されたサブフレーム、および、前記ＭＢＳＦＮサブフレーム内のみに設定されたＰＲＳの機会（occasion）の一部としてセットされたサブフレームを除く、前記パラメータmbsfn-SubframeConfigListによって指示されたＭＢＳＦＮサブフレームにおける前記ＰＤＣＣＨの検出に基づいて、前記ＰＤＣＣＨを検出したＭＢＳＦＮサブフレームと同じサブフレームにおけるＰＤＳＣＨをデコードしてもよい。
【０１０６】
上記の受信部１０５は、前記ＰＤＣＣＨの繰り返しの回数がセットされていない、且つ、送信モード９または１０がセットされている、且つ、無線フレーム内の最初のサブフレームにおけるサイクリックプリフィックスの長さがノーマルサイクリックプリフィックスである場合には、ＰＭＣＨのデコードを指示されたサブフレーム、および、前記ＭＢＳＦＮサブフレーム内のみに設定されたＰＲＳの機会（occasion）の一部としてセットされたサブフレームにおいて前記ＰＤＣＣＨのデコードを行わない、または、ＰＭＣＨのデコードを指示されたサブフレーム、および、前記ＭＢＳＦＮサブフレーム内のみに設定されたＰＲＳの機会（occasion）の一部としてセットされたサブフレームにおける前記ＰＤＣＣＨの検出に基づいて、前記ＰＤＣＣＨを検出したＭＢＳＦＮサブフレームと同じサブフレームにおけるＰＤＳＣＨをデコードしなくてもよい。
【０１０７】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１０８】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１０９】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１１０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１１１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる移動局装置１は、集合体としての基地局装置と通信することも可能である。
【０１１２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１１３】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１１４】
また、上述した実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１１５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１１６】
本発明は、携帯電話、スマートフォン、コンピュータなどに適用できる。
【符号の説明】
【０１１７】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  設定部
１０１５  スケジューリング情報解釈部
３０１１  無線リソース制御部
３０１３  設定部
３０１５  スケジューリング部
【図１】
0006535970.tif 000002
【図２】
0006535970.tif 000003
【図３】
0006535970.tif 000004
【図４】
0006535970.tif 000005
【図５】
0006535970.tif 000006
【図６】
0006535970.tif 000007
【図７】
0006535970.tif 000008
【図８】
0006535970.tif 000009